(57)【要約】【課題】取付台座に回転自在に支持された着座シート上で電気機器を使用可能なチャイルドシートを提供する。【解決手段】本発明のチャイルドシート１０は、乳幼児の着座シート１２と、前記着座シート１２を支持して座席に取り付ける取付台座１４と、前記取付台座１４と前記着座シート１２の間に設けて前記取付台座１４上で前記着座シート１２を回転可能な回転部２０と、を備え、前記回転部２０は、外部電源１１と電気的に接続可能な電力供給接点３０を設けたことを特徴とする。【選択図】    図１
2018122618.tif 000002
【特許請求の範囲】
【請求項１】
乳幼児の着座シートと、
前記着座シートを支持して座席に取り付ける取付台座と、
前記取付台座と前記着座シートの間に設けて前記取付台座上で前記着座シートを回転可能な回転部と、
を備え、
前記回転部は、外部電源と電気的に接続可能な電力供給接点を設けたことを特徴とするチャイルドシート。
【請求項２】
前記回転部は、前記着座シート又は前記取付台座のいずれか一方に設けて軸心を回転中心に取り付けた回転体と、前記着座シート又は前記取付台座のいずれか他方に設けて前記回転体の外周に沿った円筒体からなり、
前記電力供給接点は、前記回転体の外周に設けた第１接点と、前記円筒体の内周に設けた第２接点からなり互い電気的に接続させたことを特徴とする請求項１に記載のチャイルドシート。
【請求項３】
前記第１及び第２接点は、前記回転体の外周又は前記円筒体の内周に沿って環状に設けたリング接点、又は前記回転体の外周又は前記円筒体の内周に設けた点接点のいずれかであることを特徴とする請求項２に記載のチャイルドシート。
【請求項４】
前記リング接点は前記回転体の外周又は前記円筒体の内周に沿って断続的に形成したことを特徴とする請求項３に記載のチャイルドシート。
【請求項５】
前記点接点は、前記第１又は／及び第２接点に複数設けたことを特徴とする請求項３に記載のチャイルドシート。
【請求項６】
前記第２接点は、前記第１接点に対して接触又は非接触するスイッチを設けたことを特徴とする請求項２ないし５のいずれか１に記載のチャイルドシート。
【請求項７】
前記電力供給接点は、電気信号を送受信可能なことを特徴とする請求項１ないし６のいずれか１に記載のチャイルドシート。
【発明の詳細な説明】
【技術分野】
【０００１】
本発明は、車両などの座席上に取り付ける取付台座と、取付台座上で回転自在な着座シートを備えたチャイルドシートに関する。
【背景技術】
【０００２】
乳幼児を車両に搭乗させる際、安全を図るために座席にチャイルドシートの使用が義務付けられている。
近年、チャイルドシートの多機能化が進んでおり、例えば、日除け機能、空調機能、温熱機能、照明機能、音声機能、映像機能などを備えたチャイルドシートが提案されている。これらの機能を付加した際には電源が必要なものが多い。
【０００３】
特許文献１に開示のチャイルドシートは、取付台座の起立部上部に開口を有し、この開口に電池を配置し、又は車両のシガーソケットを接続して電源とし、電気機器を使用可能としている（段落番号００７９）。
【先行技術文献】
【特許文献】
【０００４】
【特許文献１】特開２０１５−４００３４号公報
【発明の概要】
【発明が解決しようとする課題】
【０００５】
しかしながら、特許文献１に開示のチャイルドシートの場合、電源ケーブルは着座シートのリクライニング動作及び回転動作に干渉しないように、取付台座の下面及び背面を通るように配線するか、取付台座の内部を通るように配線する旨が記載（段落番号００７９）されているのみであり、取付台座と電気的に接続していない着座シート上で電気機器を使用することができなかった。
仮に取付台座上で回転自在な着座シートで電気機器を使用したい場合、着座シートに電源ケーブルを配線しなければならず、着座シートを同一方向に回転し続けると電源ケーブルに負荷が生じて断線等の不具合が生じるおそれがあった。
このため、従来のチャイルドシートでは、着座シート上で電気機器を使用することができなかった。
【０００６】
上記従来技術の問題点に鑑み、本発明は、取付台座に回転自在に支持された着座シート上で電気機器を使用可能なチャイルドシートを提供することを目的としている。
【課題を解決するための手段】
【０００７】
上記課題を解決するための第１の手段として、本発明は、乳幼児の着座シートと、前記着座シートを支持して座席に取り付ける取付台座と、前記取付台座と前記着座シートの間に設けて前記取付台座上で前記着座シートを回転可能な回転部と、を備え、前記回転部は、外部電源と電気的に接続可能な電力供給接点を設けたことを特徴とするチャイルドシートを提供することにある。
上記第１の手段によれば、回転部に電力供給接点を設けているので、着座シートが同一方向へ回転し続けても電源ケーブルが絡まることなく、着座シート上で電源を確保して種々の電気機器を使用することができる。
【０００８】
上記課題を解決するための第２の手段として、本発明は、前記第１の手段において、前記回転部は、前記着座シート又は前記取付台座のいずれか一方に設けて軸心を回転中心に取り付けた回転体と、前記着座シート又は前記取付台座のいずれか他方に設けて前記回転体の外周に沿った円筒体からなり、前記電力供給接点は、前記回転体の外周に設けた第１接点と、前記円筒体の内周に設けた第２接点からなり互い電気的に接続させたことを特徴とするチャイルドシートを提供することにある。
上記第２の手段によれば、着座シートの取付け位置が正面（フロントガラス側）向きの他にも、背面向き（バックシート側）、また横向き（サイドドア側）のいずれかの向きであっても着座シートに電源供給することができる。
【０００９】
上記課題を解決するための第３の手段として、本発明は、前記第２の手段において、前記第１及び第２接点は、前記回転体の外周又は前記円筒体の内周に沿って環状に設けたリング接点、又は前記回転体の外周又は前記円筒体の内周に設けた点接点のいずれかであることを特徴とするチャイルドシートを提供することにある。
上記第３の手段によれば、着座シートが任意の位置のときに外部電源から電気機器へ電力を供給することができる。着座シートの任意位置は自由に設定変更できる。
【００１０】
上記課題を解決するための第４の手段として、本発明は、前記第３の手段において、前記リング接点は前記回転体の外周又は前記円筒体の内周に沿って断続的に形成したことを特徴とするチャイルドシートを提供することにある。
上記第４の手段によれば、分割したリング接点に外部電源を接続した構成の場合、複数の電源を区別して供給することができる。また着座シートの取り付け位置が、正面向き、背面向き、横向きなど所定位置のときに電源供給することができる。
【００１１】
上記課題を解決するための第５の手段として、本発明は、前記第３の手段において、前記点接点は、前記第１又は／及び第２接点に複数設けたことを特徴とするチャイルドシートを提供することにある。
上記第４の手段によれば、複数の電気機器に外部電源からの電力を供給することができる。また着座シートが任意位置のときに外部電源からの電力を電気機器に供給することができる。
【００１２】
上記課題を解決するための第６の手段として、本発明は、前記第２ないし第５のいずれか１の手段において、前記第２接点は、前記第１接点に対して接触又は非接触するスイッチを設けたことを特徴とするチャイルドシートを提供することにある。
上記第６の手段によれば、誤操作を防ぎ、待機時の省エネ化が図れる。
【００１３】
上記課題を解決するための第７の手段として、本発明は、前記第１ないし第６のいずれか１の手段において、前記電力供給接点は、電気信号を送受信可能なことを特徴とするチャイルドシートを提供することにある。
上記第７の手段によれば、物理量検出値となる電気信号を電力供給用の第１及び第２接点と同じ構造を用いて送ることができる。従って部品数を減らして、シート全体の低コスト化が図れる。
【発明の効果】
【００１４】
本発明によれば、取付台座と着座シートの間に設けた回転部に電力供給接点を設けているので、着座シートが同一方向へ回転し続けても電源ケーブルが絡まることなく、着座シート上で電源を確保して電気機器を使用することができる。
【図面の簡単な説明】
【００１５】
【図１】本発明のチャイルドシートの説明図である。
【図２】回転部の電力供給接点の説明図である。
【図３】断続的なリング接点と点接点の説明図である。
【図４】点接点どうしの説明図である。
【図５】点接点どうしの説明図２である。
【図６】第２接点のスイッチの説明図である。
【図７】電気信号の説明図である。
【発明を実施するための形態】
【００１６】
本発明のチャイルドシートの実施形態を添付の図面を参照しながら、以下詳細に説明する。
［チャイルドシート１０］
図１は、本発明のチャイルドシートの説明図であり、（１）は斜視図、（Ｂ）は取付台座から着座シートを外した分解斜視図である。図示のように本発明のチャイルドシート１０は、乳幼児の着座シート１２と、着座シート１２を所定位置に回転自在に支持して座席に取り付ける取付台座１４と、取付台座１４と着座シート１２の間に設けて取付台座１４上で着座シート１２を回転可能な回転部２０と、を備え、回転部２０には、外部電源１１と電気的に接続可能な電力供給接点３０を設けている。
【００１７】
本発明のチャイルドシート１０は、回転部２０により取付台座１４上で着座シート１２が回転可能とし、図１に示す着座シート１２の取付け位置が正面（フロントガラス側）向きの他にも、背面向き（バックシート側）、また横向き（サイドドア側）のいずれかの向きであっても適用することができる。また、取付台座１４上で着座シート１２を時計周り又は反時計回りのいずれかの方向へ回転し続けるように構成することもできる。
【００１８】
［回転部２０］
回転部２０は、回転体２２と円筒体２４からなる。
図１に示す回転体２２は、取付台座１４の上面に設けており、中心穴２２ａを着座シート１２の回転軸１２ａと同一軸上に配置している。取付台座１４の上面には、回転体２２の外周に沿って、円筒体２４が嵌る環状の溝２３を設けている。中心孔２２ａは回転軸１２ａが嵌るように形成している。
図１に示す円筒体２４は、着座シート１２の下面に設けており、回転軸１２ａの軸回りに沿って形成している。円筒体２４の内周と、回転体２２の外周との間には隙間を設けている。
なお、回転部２０の構成は、この他、着座シート１２に回転体を設けて、取付台座１４に円筒体を設ける構成であってもよい。また、回転部２０による着座シート１２の回転は手動式の他、回転軸１２ａを軸回りに回転させる電動モータなどを適用した電動式であってもよい。
【００１９】
［電力供給接点３０］
図２は回転部の電力供給接点の説明図である。電力供給接点３０は、回転体２２の外周に設けた第１接点３２と、円筒体２４の内周に設けた第２接点３４からなり互い電気的に接続させている。第１及び第２接点３２，３４は、いずれもリング接点又は点接点からなる導電性の金属部材である。第１及び第２接点３２，３４は例えば、金属リングとリング表面に接触しながら摺動する金属ブラシのスリップリング構造や、金属リングと、金属リングに向けてスプリングで付勢された接点が金属リング表面に接触しながら摺動する構造など、回転体に電力を供給可能な構成であれば良い。
【００２０】
図２に示す電力供給接点３０は、取付台座１４の回転体２２の外周に沿って環状のリング接点となる第１接点３２を設けている。また着座シート１２の円筒体２４の内周に点接点となる第２接点３４を設けている。
リング接点は、回転体２２の外周に沿って連続的に形成した接点であり、取付台座１４の内部で外部電源１１と接続する電源ケーブルと電気的に接続している。
点接点は、円筒体２４の内周の一点に設けている。より具体的に図１（２）に示す点接点となる第２接点３４は着座シート１２の正面に設けた接点であり、着座シート１２の内部で電気機器１３と接続する電源ケーブルと電気的に接続している。
【００２１】
このような構成の電力供給接点３０は、着座シート１２を取付台座１４に取付けた際、リング接点の外周に点接点が一点で接触している。そして取付台座１４上で着座シートを回転させると、着座シート１４側の点接点も取付台座１２のリング接点の外周に沿って接触しながら回転させることができる。
なお電力供給接点３０の構成は、この他、第１接点３２として回転体２２の外周の任意箇所に点接点を設けて、第２接点３４として円筒体２４の内周に沿って環状のリング接点を設ける構成であってもよい。このとき第１接点３２は第２接点に向けて付勢されている。
【００２２】
本実施形態の外部電源１１としては、車両のシガープラグを介した車両バッテリー、電池、携帯型バッテリーなどを適用することができる。
また本実施形態の電気機器１３としては、電動式日除け、空調機器、温熱機器、照明機器、音声機器、映像機器などを適用することができる。このとき、電気機器１３との接続にカプラー、コネクターなどの端子を１つ以上形成することにより、種々の電気機器に１つ以上接続できるようにすると良い。
【００２３】
［断続的なリング接点］
図３は断続的なリング接点と点接点の説明図である。
同図（１）に示す第１接点３２Ａは断続的なリング接点であり、回転体２２の半分のみ、平面視で半円状、弓型に形成している。回転体２２の残り半分は接点が形成されていない。
このような構成のチャイルドシート１０は、例えば取付台座１４上で回転する着座シート１２が正面側を向いている際には、電力供給接点３０が外部電源１１と通電して電気機器１３へ電力を供給することができる。一方、着座シート１２が背面側を向いている際には、電力供給接点３０が外部電源１１と接続しておらず、電気機器１３を用いることができない。このように着座シート１２を所定範囲に回転させたときに電気機器１３と外部電源１１を通電させることができる。電力供給する位置は任意に設定変更することができる。
【００２４】
同図（２）に示す第１接点３２Ｂ，３２Ｃは、平面視で回転体２２を二分割した形状に形成されている。そして第１接点３２Ｂ，３２Ｃはそれぞれ別の外部電源１１Ａ，１１Ｂを接続させるようにしても良い。
このような構成のチャイルドシートは、着座シート１２を所定範囲に回転させたときに異なる外部電源１１Ａ，１１Ｂから電気機器１３に電力供給することができる。
【００２５】
［点接点どうし］
図４は点接点どうしの説明図である。
同図（１）に示す第１接点３２Ｄは回転体２２の外周の任意の位置に設けた点接点である。
このような構成のチャイルドシートは、取付台座１４上を回転する着座シート１２が任意の位置、例えば正面向きのときに第１及び第２接点３２Ｄ，３４が電気的に接続して、外部電源１１から電気機器１３へ電力供給することができる。
同図（２）に示す第１接点３２Ｅ，３２Ｆは、回転体２２の任意の位置に複数設けた点接点である。第２接点３４Ａ，３４Ｂは、円筒体２４の任意の位置に設けた複数の点接点である。
このような構成のチャイルドシートは、取付台座１４上を回転する着座シート１２が任意の複数位置、例えば正面向き及び横向きのときに第１及び第２接点３２Ｅ，３２Ｆ，３４Ａ，３４Ｂのうちいずれかが電気的に接続して、外部電源１１から電気機器１３へ電力供給することができる。
【００２６】
［点接点どうし２］
図５は点接点どうしの説明図２である。
第２接点３４Ｃ，３４Ｄは、円筒体２４の内周に複数設けている。より具体的には着座シート１２が正面側又は背面側の位置に取付け、さらに、正面側と背面側で異なる電気機器１３に接続させている。
このような構成のチャイルドシートは、取付台座１４上を回転する着座シート１２が正面向きのとき、日除けなどの電気機器１３へ電力供給し、着座シート１２が背面向きのとき、日除け以外の空調機器などの電気機器１３へ電力供給することができる。
【００２７】
［スイッチ］
図６は第２接点のスイッチの説明図である。
図示のように第２接点３４Ｅは、第１接点３２とのＯＮ／ＯＦＦ操作を行うスイッチ４０を備えている。スイッチの具体的な構成は、第１及び第２接点が接触又は非接触となる状態に切替え可能な構造であれば良く、例えば、押しボタンスイッチなどを適用することができる。
このような構成のチャイルドシートは、取付台座１４上を回転する着座シート１２が任意の位置、例えば正面向きのときに第１及び第２接点３２，３４Ｅが電気的に接続して、外部電源１１から電気機器１３へ電力供給することができる。スイッチ４０の操作により、第１及び第２接点３２，３４Ｅを非接触状態にすることで、電気機器１３の誤作動を防止することができる。また待機時の省エネ化を図ることができる。
【００２８】
［電気信号］
図７は電気信号の説明図である。
第１接点３２は物理量検出センサー５０に接続している。また第２接点３４は無線回線などの送受信機器６０に接続している。物理量検出センサー５０は、例えば、体温計などの温度センサー、湿度センサーなどを適用することができる。送受信機器６０は、例えば、無線ＬＡＮなどを適用することができる。
このような構成のチャイルドシートは、乳幼児に関する物理量、例えば、体温などを計測したとき、測定データとなる電気信号を、電力供給に用いている第１及び第２接点３２，３４と同じ構造を用いて送受信機器６０へ送ることができ、送受信機器６０から携帯端末などの外部機器に送信することができる。
【産業上の利用可能性】
【００２９】
本発明は、乳幼児を対象とするチャイルドシートに広く適用することができる。
【符号の説明】
【００３０】
１０………チャイルドシート、１１………外部電源、１２………着座シート、１３………電気機器、１４………取付台座、２０………回転部、２２………回転体、２４………円筒体、３０………電力供給接点、３２………第１接点、３４…第２接点、４０………スイッチ、５０………物理量検出センサー、６０………送受信機器。
【図１】
2018122618.tif 000003
【図２】
2018122618.tif 000004
【図３】
2018122618.tif 000005
【図４】
2018122618.tif 000006
【図５】
2018122618.tif 000007
【図６】
2018122618.tif 000008
【図７】
2018122618.tif 000009